(57)【要約】【課題】  カラオケ拠点に設置されたカラオケ装置と１台又は複数台の携帯端末とサーバとを、伝送路を介して通信可能に接続した通信カラオケシステムにおいて、カラオケ拠点の照明装置を携帯端末の操作によって遠隔制御可能とし、カラオケ歌唱の興趣を高める。【解決手段】  照明効果を演出する照明装置２６と、照明装置２６を制御する照明制御手段（照明制御部３８）と、伝送路４を介して照明制御手段を遠隔操作するための制御信号を送信する遠隔操作手段（携帯端末３，ホスト装置１）と、歌唱者が歌唱予定のカラオケ楽曲を告知し、遠隔操作手段の操作者を募集する募集手段（ホスト装置１）と、カラオケ拠点から送信された混合信号を、募集に応じた端末利用者の所有する携帯端末３に対し、伝送路４を介してストリーム配信する配信手段（ホスト装置１）とを有する。【選択図】図９
2015069050.tif 000002
【特許請求の範囲】
【請求項１】
カラオケ拠点に設置されたカラオケ装置と１台又は複数台の携帯端末とサーバとを、伝送路を介して通信可能に接続した通信カラオケシステムであって、
前記カラオケ拠点において複数のカラオケ楽曲の中から演奏するカラオケ楽曲を指定する楽曲指定手段と、
前記カラオケ拠点において前記楽曲指定手段により指定された前記カラオケ楽曲を演奏する演奏手段と、
前記カラオケ拠点において歌唱者が歌唱した歌唱音を収音する収音手段と、
前記演奏手段により演奏されたカラオケ演奏信号と前記収音手段により収音された歌唱音信号とを混合した混合信号を、前記伝送路を介して前記サーバに送信する送信手段と、
前記カラオケ拠点に設置され、照明効果を演出する照明装置と、
前記照明装置を制御する照明制御手段と、
前記伝送路を介して前記カラオケ拠点に対し、前記照明制御手段を前記携帯端末から遠隔操作するための制御信号を送信する遠隔操作手段と、
所定の携帯端末利用者に対して前記歌唱者が歌唱予定の前記カラオケ楽曲を告知し、前記遠隔操作手段の操作者を募集する募集手段と、
前記カラオケ拠点から送信された前記混合信号を、前記募集に応じた利用者の所有する前記携帯端末に対し、前記サーバから前記伝送路を介してストリーム配信する配信手段とを備えたことを特徴とする通信カラオケシステム。
【請求項２】
前記遠隔操作手段は、前記携帯端末で動作し、照明制御手段を前記伝送路を介して遠隔操作するためのアプリケーション・ソフトウェアを含んで構成され、
前記募集に応じた利用者の所有する前記携帯端末に対し、当該カラオケ拠点の照明装置を操作するための前記アプリケーション・ソフトウェアを、前記サーバから供給する供給手段を備えることを特徴とする請求項１に記載の通信カラオケシステム。
【請求項３】
複数の前記携帯端末からの個別制御信号を受信して統合し、前記制御信号を生成する統合手段をさらに備え、
前記供給手段は、前記募集に応じた利用者が複数であった場合に、前記照明制御手段を複数の利用者で分担して遠隔操作するための前記アプリケーション・ソフトウェアを、複数の利用者の所有する前記携帯端末のそれぞれに対して供給し、
前記遠隔操作手段は、前記統合手段により生成された前記制御信号を、前記伝送路を介して前記カラオケ拠点に設置された前記カラオケ装置に送信することを特徴とする請求項２に記載の通信カラオケシステム。
【請求項４】
前記所定の携帯端末利用者は、前記歌唱者と共にグループ利用者として登録された利用者であることを特徴とする請求項１から３の何れか１項に記載の通信カラオケシステム。
【請求項５】
前記所定の携帯端末利用者は、前記歌唱者の歌唱履歴から抽出された過去の同席者であることを特徴とする請求項１から３の何れか１項に記載の通信カラオケシステム。
【請求項６】
前記カラオケ拠点において歌唱者の歌唱映像を音声付き動画として撮影し、前記動画を前記伝送路を介してサーバに送信する動画送信手段を、さらに備え、
前記配信手段は、前記混合信号に代えて前記動画をストリーム配信することを特徴とする請求項１から５の何れか１項に記載の通信カラオケシステム。
【発明の詳細な説明】
【技術分野】
【０００１】
本発明は、カラオケ拠点のカラオケ装置と拠点外利用者の携帯端末とサーバとを通信可能に接続した通信カラオケシステムであって、携帯端末によってカラオケ拠点の照明装置を遠隔操作できるように構成したものに関する。
【背景技術】
【０００２】
カラオケ歌唱において照明は、場の雰囲気を盛り上げるための有効な手段であることから、カラオケ演奏にあわせた本格的なステージ照明が求められている。このため、照明制御卓を備え、同伴者による照明制御が行えるようにしたカラオケルームがある。また、照明装置の一種であるムービングヘッドを、カラオケ演奏データ（ＭＩＤＩデータ）に同期した照明制御用シーケンス（ＤＭＸデータ）で制御することにより、多彩なステージ照明が自動で行われるカラオケルームもある。さらに、再生装置から放音される音（歌唱音やカラオケ演奏音）に自動的かつランダムに反応するサウンド・アクティブ方式の照明装置を用いても、自動で多彩なステージ照明を自動で行うことができる。
【０００３】
加えて、歌唱者の動きにあわせてステージ照明を行う技術も提案されている。例えば、特許文献１には、カラオケルーム内にスポットライト等の照明装置を備え、赤外線センサを用いて歌唱者の位置を認識し、歌唱者の動きにあわせて照明装置による照明の照射方向を自動で制御する技術が開示されている。
【先行技術文献】
【特許文献】
【０００４】
【特許文献１】特開平８−２９２７７４号公報
【発明の概要】
【発明が解決しようとする課題】
【０００５】
カラオケルームに同席者がおらず、歌唱者が１人で歌唱をする場合、歌唱しながら照明制御卓を操作することは困難である。この場合、自動制御によるステージ照明に頼るしかなく、いわゆる「お任せ」的な照明演出となってしまい味気ないものであった。
【０００６】
本発明は、このような事情に鑑みてなされたものであり、その目的は、カラオケ拠点の照明装置を遠隔制御可能とし、カラオケ歌唱の興趣を高めることにある。
【課題を解決するための手段】
【０００７】
前記目的を達成するため、本発明は、カラオケ拠点に設置されたカラオケ装置と１台又は複数台の携帯端末とサーバとを、伝送路を介して通信可能に接続した通信カラオケシステムであって、前記カラオケ拠点において複数のカラオケ楽曲の中から演奏するカラオケ楽曲を指定する楽曲指定手段と、前記カラオケ拠点において前記楽曲指定手段により指定された前記カラオケ楽曲を演奏する演奏手段と、前記カラオケ拠点において歌唱者が歌唱した歌唱音を収音する収音手段と、前記演奏手段により演奏されたカラオケ演奏信号と前記収音手段により収音された歌唱音信号とを混合した混合信号を、前記伝送路を介して前記サーバに送信する送信手段と、前記カラオケ拠点に設置され、照明効果を演出する照明装置と、前記照明装置を制御する照明制御手段と、前記伝送路を介して前記カラオケ拠点に対し、前記照明制御手段を前記携帯端末から遠隔操作するための制御信号を送信する遠隔操作手段と、所定の携帯端末利用者に対して前記歌唱者が歌唱予定の前記カラオケ楽曲を告知し、前記遠隔操作手段の操作者を募集する募集手段と、前記カラオケ拠点から送信された前記混合信号を、前記募集に応じた利用者の所有する前記携帯端末に対し、前記サーバから前記伝送路を介してストリーム配信する配信手段とを備えたことを特徴とする。
【０００８】
本発明によれば、遠隔操作手段によって照明制御手段が遠隔操作され、かつ、募集に応じた利用者の携帯端末に対して混合信号が送信されるので、募集に応じた利用者は、カラオケ拠点の外部から携帯端末を用いて、カラオケ歌唱を聴取しつつカラオケ拠点内の照明装置を遠隔操作できる。これにより、カラオケ拠点内の歌唱者と携帯端末の利用者との間に一体感が生まれ、カラオケ歌唱の興趣を高めることができる。
【０００９】
前述の通信カラオケシステムにおいて、前記遠隔操作手段は、前記携帯端末で動作し、照明制御手段を前記伝送路を介して遠隔操作するためのアプリケーション・ソフトウェアを含んで構成され、前記募集に応じた利用者の所有する前記携帯端末に対し、当該カラオケ拠点の照明装置を操作するための前記アプリケーション・ソフトウェアを、前記サーバから供給する供給手段を備えることが好ましい。この構成では、募集に応じた利用者の所有する携帯端末に対してアプリケーション・ソフトウェアを供給するので、歌唱されるカラオケ楽曲に適合した仕様のアプリケーション・ソフトウェアを供給できる。
【００１０】
前述の通信カラオケシステムにおいて、複数の前記携帯端末からの個別制御信号を受信して統合し、前記制御信号を生成する統合手段をさらに備え、前記供給手段は、前記募集に応じた利用者が複数であった場合に、前記照明制御手段を複数の利用者で分担して遠隔操作するための前記アプリケーション・ソフトウェアを、複数の利用者の所有する前記携帯端末のそれぞれに対して供給し、前記遠隔操作手段は、前記統合手段により生成された前記制御信号を、前記伝送路を介して前記カラオケ拠点に設置された前記カラオケ装置に送信することが好ましい。この構成では、各利用者の間で役割が分担されるので、バラエティーに富んだ照明演出を行うことができ、カラオケ歌唱の興趣を一層高めることができる。
【００１１】
前述の通信カラオケシステムにおいて、前記所定の携帯端末利用者は、前記歌唱者と共にグループ利用者として登録された利用者であることが好ましい。また、前記所定の携帯端末利用者は、前記歌唱者の歌唱履歴から抽出された過去の同席者であることが好ましい。この構成では、遠隔操作を行い得る利用者が、カラオケ拠点の歌唱者と面識等を有する特定の利用者に限定されるので、見ず知らずの他人による悪戯等を抑制できる。
【００１２】
前述の通信カラオケシステムにおいて、前記カラオケ拠点において歌唱者の歌唱映像を音声付き動画として撮影し、前記動画を前記伝送路を介してサーバに送信する動画送信手段を、さらに備え、前記配信手段は、前記混合信号に代えて前記動画をストリーム配信することが好ましい。この構成では、カラオケ歌唱のみならず映像も携帯端末で視認できるので、ステージの様子を確認しながら照明の遠隔制御が行える。
【発明の効果】
【００１３】
本発明によれば、カラオケ拠点の外部から携帯端末を用い、カラオケ歌唱を聴取しつつカラオケ拠点内の照明装置を遠隔操作できるので、カラオケ歌唱の興趣を高めることができる。
【図面の簡単な説明】
【００１４】
【図１】通信カラオケシステムの概略構成を説明する図である。
【図２】ホスト装置の構成を説明するブロック図である。
【図３】カラオケ装置の構成を説明するブロック図である。
【図４】カラオケ本体の構成を説明するブロック図である。
【図５】照明制御データを説明する概念図である。
【図６】携帯端末の構成を説明するブロック図である。
【図７】携帯端末の表示ユニットで表示されるユーザーインタフェースを説明する図である。
【図８】ホスト装置、カラオケ装置、及び、携帯端末が伝送路を介して通信可能に接続された状態を説明する概念図である。
【図９】カラオケ装置、ホスト装置、及び、携帯端末の動作を説明するフローチャートである。
【図１０】操作者の募集時及び応募時の情報の流れを説明する概念図である。
【図１１】カラオケ歌唱時の情報の流れを説明する概念図である。
【図１２】動画をストリーム配信する実施形態を説明する概念図である。
【図１３】再生動画をストリーム配信する実施形態を説明する概念図である。
【発明を実施するための形態】
【００１５】
以下、本発明の実施形態について説明する。まず、通信カラオケシステムの構成について説明する。図１に示す通信カラオケシステムは、ホスト装置１とカラオケ装置２と携帯端末３とを有している。そして、これらが伝送路４を介して通信可能に接続されている。カラオケ装置２は、例えばカラオケ店ＫＢの各カラオケルームＲＭに設置されている。このカラオケルームＲＭは、カラオケ装置２が設置されるカラオケ拠点に相当する。
【００１６】
ホスト装置１は、サーバとして機能し、顧客情報などの各種情報を蓄積して管理する。図２に示すように、ホスト装置１は、ホスト側制御部１１と、ホスト側通信部１２と、ホスト側記憶部１３とを有している。ホスト側制御部１１は、ホスト装置１における制御の中心となる部分であり、ＣＰＵ１１ａやメモリ１１ｂを有している。ＣＰＵ１１ａは、メモリ１１ｂに記憶された動作プログラムに従って各種の制御を実行する。メモリ１１ｂは、ＣＰＵ１１ａに実行されるプログラムを記憶したり、プログラムの実行時に各種情報を一時的に記憶したりする記憶素子である。ホスト側通信部１２は、ホスト装置１を伝送路４に接続するためのインタフェースを提供する。
【００１７】
ホスト側記憶部１３は、大容量の情報を記憶する記憶装置であり、ハードディスクドライブ等によって構成されている。そして、ホスト側記憶部１３の一部領域は、顧客情報記憶領域、及び、アプリケーション記憶領域として用いられている。
【００１８】
顧客情報記憶領域には、利用者（顧客）の個人情報や各種履歴情報などが、利用者を識別するための利用者ＩＤに関連付けられた状態で記憶されている。本実施形態では、個人情報、グループ情報、来店履歴情報、歌唱履歴情報が記憶されている。
【００１９】
個人情報は、氏名、住所、年齢等の情報である。グループ情報は、複数の利用者によって構成されるグループを示す情報であり、その利用者が属するグループを識別するためのグループＩＤによって構成される。ここで、グループは例えば友人や家族であり、各利用者からの申請によってグループＩＤが設定される。来店履歴情報は、その利用者が過去に来店した際の情報であり、例えば来店店舗、来店日時、利用ルームナンバー、同伴利用者といった情報である。歌唱履歴情報は、その利用者が過去に歌唱したカラオケ楽曲を示す情報であり、カラオケ楽曲を示す楽曲ＩＤが歌唱日時を示す日時情報と関連付けた状態で記憶されている。また、デュエット歌唱等、一緒に歌唱を行った他の利用者が特定される場合には、当該利用者の利用者ＩＤも記憶される。
【００２０】
アプリケーション記憶領域には、携帯端末３にインストールされるアプリケーション・プログラムが記憶される。詳しくは後述するが、このアプリケーション・プログラムは、カラオケ本体２１が有する照明制御部３８（図４参照）を遠隔操作することにより、カラオケルームＲＭに設置された照明装置２６（ＬＥＤムービングヘッド２６ａ〜２６ｃ，図３参照）をカラオケルームＲＭの外部から動作させるためのものである。
【００２１】
本実施形態では、募集に応じた端末利用者の携帯端末３に対し、アプリケーション記憶領域に記憶されたアプリケーション・プログラムを、ホスト装置１から供給するように構成されている。また、このアプリケーション・プログラムでは、募集に応じた端末利用者が複数いた場合、照明装置２６の制御を各端末利用者に分担させるように構成されている。例えば、端末利用者毎に異なる照明装置２６を担当させることができる。また、照明装置２６の首振り動作と照明色やエフェクトの設定とを分けて担当させることもできる。
【００２２】
次に、カラオケ装置２について説明する。カラオケ装置２は、カラオケ演奏、及び、カラオケ歌唱時の音声録音や映像録画等を行うものであり、例えば図３に示すように、カラオケ本体２１と、スピーカー２２と、モニタ２３と、歌唱マイク２４と、ビデオカメラ２５と、照明装置２６と、リモコン装置２７とを有している。
【００２３】
カラオケ本体２１は、利用者によって指定されたカラオケ楽曲の演奏制御、歌詞及び背景映像の表示制御、歌唱マイク２４で生成されたマイク信号の処理、照明装置２６の制御、伝送路４を解して行われる信号等の送受信といった、カラオケ歌唱に関する各種の制御を行う部分である。そして、スピーカー２２からリモコン装置２７の各部は、有線或いは無線でカラオケ本体２１に接続されている。なお、このカラオケ本体２１については、後で詳しく説明する。
【００２４】
スピーカー２２は、カラオケ本体２１から出力される放音信号に基づいて音を出力する。例えば、歌唱者の音声とカラオケ演奏音の混合音を出力する。モニタ２３は、カラオケ本体２１からの映像信号に基づいて映像を画面に表示する。例えば、歌唱しているカラオケ楽曲の歌詞や背景映像を表示する。歌唱マイク２４は、利用者（歌唱者）の音声を集音し、マイク信号に変換してカラオケ本体２１に入力させる。従って、歌唱マイク２４とカラオケ本体２１の組は、カラオケルームＲＭにおいて歌唱者が歌唱した歌唱音を収音する収音手段に相当する。そして、マイク信号はカラオケ本体２１で適宜調整された後、カラオケ演奏音等と混合され、放音信号としてスピーカー２２に入力される。
【００２５】
ビデオカメラ２５は、カラオケルームＲＭを撮影することで映像信号を生成する。生成された映像信号はカラオケ本体２１に入力される。そして、カラオケ本体２１は、入力された映像信号に基づく映像をモニタ２３に表示させたり、入力された映像信号を伝送路４を通じてホスト装置１に送信したり、映像信号を変換して歌唱録画データを生成したりする。
【００２６】
照明装置２６は、ステージ照明などの照明効果を演出するものであり、カラオケルームＲＭに設置されている。本実施形態では、複数台のＬＥＤムービングヘッド２６ａ〜２６ｃが用いられている（便宜上、図３には３台描いている）。各ＬＥＤムービングヘッド２６ａ〜２６ｃは、後述する照明制御データ（制御信号）で動作が制御されるものである。本実施形態の照明制御データは、ＤＭＸプロトコルのデータで構成されている。このため、各ＬＥＤムービングヘッド２６ａ〜２６ｃは、カラオケ本体２１とディジーチェーン接続されている。そして、各ＬＥＤムービングヘッド２６ａ〜２６ｃは、照明制御データに応じてパン及びチルトが可能であり、さらに照明色の変更やストロボ等のエフェクトをかけることができる。
【００２７】
リモコン装置２７は、カラオケ本体２１との間で情報を送受信するための双方向通信可能な短距離無線通信部を備えており、カラオケ楽曲の予約時などに操作される。このため、リモコン装置２７は、カラオケルームＲＭ（カラオケ拠点）において複数のカラオケ楽曲の中から演奏するカラオケ楽曲を指定する楽曲指定手段に相当する。カラオケ楽曲の予約時において、リモコン装置２７からは、演奏対象の楽曲を識別するための楽曲ＩＤを含んだ操作信号が送信される。そして、カラオケ本体２１は、ルーム利用者が選択したカラオケ楽曲を待ち行列で管理する。
【００２８】
また、このリモコン装置２７は、カラオケルームＲＭを利用するルーム利用者を認証するときや、照明装置２６の遠隔操作をしてくれる操作者を、外部の利用者の中から募集するときに用いられる。その際、ルーム利用者による操作に応じた操作情報をホスト装置１に対して送信する。この場合、ホスト装置１に対しては、操作信号が近隣のルーター装置ＲＴ１及び伝送路４を介して送信される。このような動作をするリモコン装置２７は、操作情報送信手段に相当する。
【００２９】
次に、カラオケ本体２１について詳細に説明する。図４に示すように、カラオケ本体２１は、本体側制御部３１と、本体側通信部３２と、本体側記憶部３３と、音源部３４と、音響処理部３５と、表示処理部３６と、映像入力部３７と、照明制御部３８と、操作部３９とを有している。そして、これらの各部がバスＢＳ１を介して通信可能な状態に接続されている。
【００３０】
本体側制御部３１は、カラオケ本体２１における制御の中心となる部分であり、ＣＰＵ３１ａやメモリ３１ｂを有している。ＣＰＵ３１ａは、メモリ３１ｂに記憶された動作プログラムに従って各種の制御を実行する。例えば、操作部３９からの操作を受け付ける操作入力処理やシーケンサとして動作するシーケンサ処理を行う。メモリ３１ｂは、ＣＰＵ３１ａに実行されるプログラムを記憶したり、プログラムの実行時に各種情報を一時的に記憶したりする記憶素子である。そして、メモリ３１ｂは、リモコン装置２７で予約（指定）されたカラオケ楽曲を、待ち行列で記憶することも行っている。
【００３１】
本体側通信部３２は、ルーター装置ＲＴ１を介してカラオケ本体２１を伝送路４に接続するためのインタフェースを提供する。このため、本体側通信部３２は、ルーター装置ＲＴ１との間で情報の送受信を行う。この本体側通信部３２は、本体側制御部３１によって動作が制御される。
【００３２】
本体側記憶部３３は、各種のデータを記憶する大容量の記憶装置であり、例えばハードディスクドライブによって構成されている。この本体側記憶部３３には、例えば、楽曲データ記憶領域、背景映像データ記憶領域、歌唱録音データ記憶領域、映像録画データ記憶領域、及び、照明制御データ記憶領域が設けられる。
【００３３】
楽曲データ記憶領域には、リモコン装置２７で指定されたカラオケ楽曲を演奏するための楽曲データが記憶され、背景映像データ記憶領域には、モニタ２３に背景映像を表示させるための背景映像データが記憶される。
【００３４】
楽曲データには、ＭＩＤＩデータと歌詞データとが含まれる。ＭＩＤＩデータは、電子楽器による音楽の演奏情報（演奏データ）であり、時系列のノート情報によって構成される。ノート情報は、例えば発音や消音のタイミング、キーの押圧力、音量や音質、再生テンポ（ピッチ）などを制御する各種の命令によって構成される。歌詞データは、カラオケ楽曲における歌詞テロップをモニタ２３で表示させるためのデータである。なお、これらのＭＩＤＩデータと歌詞データは、カラオケ装置２で演奏可能なカラオケ楽曲のそれぞれについて、楽曲ＩＤに対応付けられた状態で記憶されている。
【００３５】
歌唱録音データ記憶領域には、カラオケ歌唱時に録音された歌唱録音データが記憶され、映像録画データ記憶領域には、カラオケ歌唱時に撮影された映像録画データが記憶される。そして、歌唱録音データや映像録画データは、カラオケルームＲＭの利用者からの要求に応じてカラオケ装置２からホスト装置１へアップロードされる。
【００３６】
照明制御データ記憶領域には、照明装置２６の動作を制御するための照明制御データが記憶される。照明制御データは、カラオケ楽曲毎に設定されているため、楽曲ＩＤに対応付けられた状態で記憶されている。この照明制御データは、例えばＤＭＸプロトコルのデータであり、例えば５１２チャンネルのデータ群として構成されている。これにより、５１２チャンネルの制御が行える。１つのチャンネルは１バイトのデータで構成されており、「０」から「２５５」までの数値が設定できる。
【００３７】
図５に示す照明制御データは、演奏の進行時間（Ｔｉｃｋ）に対応する５１２チャンネルのデータ群で構成されている。同図に示すタイムベースにおいて、ＴＰＱＮ（４分音符あたりのＴｉｃｋ数）は９６である。このようにＤＭＸ信号は、カラオケ演奏制御データであるＭＩＤＩデータと非常によく似たデータ構造を採っているため、カラオケ演奏と容易にテンポ同期させながら照明装置２６を制御することができる。また、この照明制御データはシンプルなので伝送路の負荷が軽く、遅延もさほど気にならない。
【００３８】
また、各チャンネルには、灯体である各ＬＥＤムービングヘッド２６ａ〜２６ｃの動作が割り振られている。例えば、チャンネル０〜５には、１台目のＬＥＤムービングヘッド２６ａに対するパンのデータ、チルトのデータ、赤色ＬＥＤの輝度データ、緑色ＬＥＤの輝度データ、青色ＬＥＤの輝度データ、エフェクトのデータがそれぞれ割り振られている。また、チャンネル６〜１１（図５にはチャンネル６〜８を示す）には、２台目のＬＥＤムービングヘッド２６ｂに対するパンのデータ、チルトのデータ、赤色ＬＥＤの輝度データ、緑色ＬＥＤの輝度データ、青色ＬＥＤの輝度データ、エフェクトのデータがそれぞれ割り振られている。
【００３９】
なお、以降のチャンネルにも同様に、他のＬＥＤムービングヘッド２６ｃ等の動作が割り振られている。このため、各チャンネルに設定された数値に応じ、各ＬＥＤムービングヘッド２６ａ〜２６ｃによる照明の照射角度や照明色、及び、ストロボ発光の周期などが規定される。
【００４０】
図４に示す音源部３４は、ＭＩＤＩデータに基づいてカラオケ演奏音信号を生成する部分であり、ＣＰＵ３４ａと、メモリ３４ｂと、波形メモリ３４ｃとを有している。ＣＰＵ３４ａは、メモリ３４ｂに記憶された動作プログラムに従って各種の制御を実行する。メモリ３４ｂは、ＣＰＵ３４ａに実行されるプログラムを記憶したり、プログラムの実行時に各種情報を一時的に記憶したりする記憶素子である。波形メモリ３４ｃは、対象楽器が奏でた様々な音の波形データを読み出し可能に記憶する記憶素子である。この音源部３４は、本体側制御部３１がシーケンサ処理を行うと、ＭＩＤＩデータに応じて波形データを加工し、加工後の楽音信号を音響処理部３５に出力する。
【００４１】
音響処理部３５は、カラオケ演奏音信号の処理、及び、歌唱マイク２４で生成されたマイク信号の処理を行う部分である。例えば、カラオケ楽曲の演奏制御において、音響処理部３５は、音源部３４から出力された楽音信号をアナログ変換し、カラオケ演奏音信号を生成する。また、歌唱マイク２４からのマイク信号が入力されると、適宜調整を施して音声信号を生成する。この音声信号は、カラオケ演奏音信号と混合され、放音信号としてスピーカー２２に出力される。また、カラオケ歌唱を録音する場合、音響処理部３５は、生成した音声信号をデジタルの歌唱録音データに変換して本体側記憶部３３に記憶させる。
【００４２】
この説明から判るように、カラオケ本体２１とスピーカー２２の組は、リモコン装置２７（楽曲指定手段）により指定されたカラオケ楽曲を演奏する演奏手段に相当する。
【００４３】
表示処理部３６は、カラオケ演奏時における背景映像の表示等の制御を行う。カラオケ演奏時において、表示処理部３６には背景映像データが入力されており、この背景映像データのデコードが行われる。そして、表示処理部３６は、デコードで生成された背景映像の映像信号に歌詞テロップを合成し、合成後の映像信号をモニタ２３に出力する。その際、表示処理部３６は、本体側制御部３１でのシーケンサ処理で出力される歌詞データに基づき、歌詞テロップを合成する。また、シーケンサ処理で出力される色換え命令に従って、歌詞テロップの表示色を変更する。その結果、モニタ２３には、背景映像に歌詞テロップが重ねられた映像が表示され、かつ、カラオケ楽曲の進行にあわせて歌詞テロップの表示色が変更される。
【００４４】
映像入力部３７は、ビデオカメラ２５からの映像信号を取り込む部分であり、例えばインタフェース回路によって構成されている。カラオケ歌唱の映像撮影時において、ビデオカメラ２５からは歌唱中の利用者等を撮影した映像信号が出力される。そして、映像入力部３７は、入力された映像信号を表示処理部３６に出力する。これにより、モニタ２３には、ルーム利用者の映像が表示される。また、カラオケ歌唱の映像をストリーム配信する場合、本体側通信部３２は、映像入力部３７に入力された映像信号を、伝送路４を介してホスト装置１に送信する。さらに、カラオケ歌唱時の歌唱映像を録画する場合、映像入力部３７は、入力された映像信号をデジタルの映像録画データに変換して本体側記憶部３３に記憶させる。
【００４５】
照明制御部３８は、前述した照明制御データを本体側記憶部３３から読み出して照明装置２６に送信する部分であり、照明制御手段に相当する。照明装置２６の制御はカラオケ楽曲の進行と同期して行われるため、照明制御部３８は、本体側制御部３１によるシーケンサ処理に連動して照明制御データの読み出し及び送信を行う。また、後述する遠隔制御において、照明制御部３８は、伝送路４を介して受信された制御信号（照明制御データ）を照明装置２６に送信する。これにより、照明装置２６は、携帯端末３による外部利用者によって操作される。
【００４６】
操作部３９は、パネルスイッチやリモコン受信回路などからなっており、パネルスイッチやリモコン装置２７の操作に応じた操作信号を本体側制御部３１に対して出力する。本体側制御部３１は、操作入力処理を行うことで操作信号を検出し、対応する処理を実行する。なお、パネルスイッチやリモコン装置２７は、操作を選択するための種々のキースイッチ（図示せず）を備えている。
【００４７】
次に、携帯端末３について説明する。図１に示すように、この携帯端末３は、例えばスマートフォン３Ａや携帯電話３Ｂであり、ホスト側記憶部１３の顧客情報記憶領域に登録された利用者によって保有されている。
【００４８】
図６に示すように、携帯端末３は、端末側制御部４１と、端末側通信部４２と、端末側記憶部４３と、入力操作部４４と、音声制御部４５と、表示制御部４６とを有しており、これらがバスＢＳ２を介して通信可能な状態に接続されている。また、音声制御部４５にはマイクユニット４７及びスピーカーユニット４８が接続され、表示制御部４６には表示ユニット４９が接続されている。
【００４９】
端末側制御部４１は、携帯端末３における制御の中心となる部分であり、ＣＰＵ４１ａやメモリ４１ｂを備えている。ＣＰＵ４１ａは、メモリ４１ｂに記憶された動作プログラムに従って各種の制御を実行する。メモリ４１ｂは、ＣＰＵ４１ａに実行されるプログラムを記憶したり、プログラムの実行時に各種情報を一時的に記憶したりする記憶素子である。
【００５０】
端末側通信部４２は、基地局ＢＴＳやルーター装置ＲＴ２と通信可能に接続するためのインタフェースを提供する。この端末側通信部４２は、端末側制御部４１によって動作が制御され、基地局ＢＴＳに対して電気通信事業者の回線を利用した無線通信を行い、ルーター装置ＲＴ２に対して短距離無線通信や有線通信を行う。携帯端末３は、基地局ＢＴＳやルーター装置ＲＴ２を介して伝送路４に接続され、ホスト装置１やカラオケ装置２との間で各種データや各種信号を送受信する。
【００５１】
端末側記憶部４３は、携帯端末３で使用される情報を記憶する記憶装置であり、その一部領域は、アプリケーション記憶領域として用いられている。アプリケーション記憶領域は、ホスト装置１から供給されたアプリケーション・プログラムがインストールされる領域である。このアプリケーション・プログラムは、携帯端末３を、カラオケルームＲＭの照明装置２６を遠隔操作させるためのリモコンとして機能させるためのものである。前述したように本実施形態では、ホスト装置１から供給されたアプリケーション・プログラムがインストールされる。
【００５２】
入力操作部４４は、携帯端末３の利用者によって入力操作される部分であり、例えばタッチパネルによって構成される。端末側制御部４１には、入力操作部４４への入力操作に応じた操作信号が出力される。この操作信号に基づき、端末側制御部４１は端末利用者の入力操作を認識する。例えば、照明装置２６に対する操作情報を認識する。音声制御部４５は、音声信号の入出力など音声に関する制御を行う部分である。例えば、マイクユニット４７で変換されたマイク信号を取り込んだり、スピーカーユニット４８に対して放音信号を出力したりする。
【００５３】
表示制御部４６は、表示ユニット４９に対する制御など表示に関する制御を行う部分である。例えば、照明装置２６を遠隔操作させるためのユーザーインタフェースを、表示ユニット４９に表示させる。ここで、図７は、表示ユニット４９で表示されるユーザーインタフェースを説明する図である。
【００５４】
同図に示すユーザーインタフェースでは、画像表示領域４９ａ、パン・チルト指示領域４９ｂ、照明色設定領域４９ｃ、及び、エフェクト指示領域４９ｄが設けられている。画像表示領域４９ａには、文字や映像等の画像が表示される。携帯端末３の利用者に対するメッセージは、この画像表示領域４９ａに表示される。
【００５５】
パン・チルト指示領域４９ｂは、照明装置２６に対する首振り方向を指示するための領域であり、本実施形態ではレーダー画像とポインタが表示される。ポインタは、照明装置２６の首振り方向を示しており、初期状態では基準方向である中心位置に表示されている。なお、基準方向とは、照明装置２６から、通常、歌唱者が立つであろうと推定されるステージ中央を狙う方向のことである。
【００５６】
そして、指でポインタをタッチしながらスライドさせると、指と共にポインタが移動し、ポインタの移動軌跡にあわせて照明装置２６も首振りを行う。図７の例において、照明装置２６は、基準方向から若干右下に向いた後、左方向へ弧を描くように角度を変える。
【００５７】
照明色設定領域４９ｃは、照明装置２６の照明色を設定する領域である。図７の例では、３本のスライダー画像が表示されており、それぞれレッド（Ｒ）、グリーン（Ｇ）、ブルー（Ｂ）となっている。従って、それぞれのスライダーを左右方向に移動させるだけで、各色の輝度を変えることができ、任意の照明色と明るさを設定できる。
【００５８】
エフェクト指示領域４９ｄは、照明のエフェクトを指示するための領域である。図７の例では、３つのラジオボタンの画像が、上下方向に並んで表示されている。上側のラジオボタンは点灯を、中間のラジオボタンは高速ストロボを、下側のラジオボタンは低速ストロボをそれぞれ表しており、何れかのラジオボタンが選択されると、照明装置２６は対応する照明動作を行う。
【００５９】
このようなインタフェース画面を採用することで、照明装置２６に対する遠隔操作を容易に行わせることができ、端末利用者はゲーム感覚でカラオケに参加できる。また、音や声を出さなくても、カラオケに参加できる。
【００６０】
次に、上記構成を有する通信カラオケシステムの動作について説明する。このカラオケシステムは、携帯端末３による照明装置２６の遠隔操作に特徴を有している。このため、照明装置２６の遠隔操作を中心に説明を行う。
【００６１】
図８に示すように、この通信カラオケシステムでは、ホスト装置１とカラオケ装置２と携帯端末３とが、伝送路４を介して相互に通信可能な状態で接続されている。図８の例では、便宜上、１台のカラオケ装置２と３台の携帯端末３を例示しているが、実際には多数のカラオケ装置２及びユーザー端末が伝送路４を介して接続されている。
【００６２】
この通信カラオケシステムにおいて、カラオケルームＲＭ（カラオケ拠点）の利用者は、リモコン装置２７の操作によってホスト装置１（サーバ）に対し、照明装置２６を遠隔操作する端末利用者（遠隔操作手段の操作者）を募集することができる。そして、ホスト装置１（募集手段）は、所定の携帯端末３の利用者に対し、歌唱者が歌唱予定のカラオケ楽曲を告知して遠隔操作手段の操作者を募集する。
【００６３】
ホスト装置１（供給手段）は、募集に応じた端末利用者が所有する携帯端末３に対し、募集した利用者のカラオケルームＲＭに適合した仕様のアプリケーション・ソフトウェアをホスト側記憶部１３から読み出し、伝送路４を介して供給する。携帯端末３は、アプリケーション・ソフトウェアを端末側記憶部４３にインストールして実行する。これにより、携帯端末３とホスト装置１の組は遠隔操作手段として機能し、照明制御部３８を携帯端末３から遠隔操作するための制御信号を、伝送路４を介してカラオケルームＲＭに設置されたカラオケ装置２に対して送信する。
【００６４】
その後、カラオケ演奏が開始されると、カラオケ装置２（送信手段）は、カラオケ演奏信号と歌唱音信号とを混合した混合信号を、伝送路４を介してホスト装置１に送信する。ホスト装置１（配信手段）は、送信された混合信号を、端末利用者が所有する携帯端末３に対し、伝送路４を介してストリーム配信する。
【００６５】
これにより、募集に応じた端末利用者は、カラオケルームＲＭの外部から携帯端末３を用いて、カラオケ歌唱を聴取しつつカラオケルームＲＭの照明装置２６を遠隔操作できる。これにより、カラオケルームＲＭ内の歌唱者と端末利用者との間に一体感が生まれ、カラオケ歌唱の興趣を高めることができる。
【００６６】
以下、上記の制御について詳細に説明する。ここで、図９は、照明装置２６の遠隔操作を適用したカラオケ歌唱における各装置の動作を説明するフローチャートである。
【００６７】
まず、カラオケルームＲＭの利用者の認証処理が行われる。すなわち、利用者（歌唱者）はリモコン装置２７を操作し、ログイン処理を行う（Ｓ１）。このログイン処理では、利用者ＩＤやパスワードが入力される。そして、ホスト装置１は、この利用者の認証処理を行う（Ｓ２）。この認証処理では、入力された利用者ＩＤとパスワードの組み合わせが正しいか否かが判定され、正しい場合に利用者が特定される。
【００６８】
次に、カラオケ装置２では、利用者がリモコン装置２７を操作し、歌唱を行うカラオケ楽曲を選択して予約を行う（Ｓ３）。予約が行われると、選択されたカラオケ楽曲が待ち行列で管理される。続いて利用者は、リモコン装置２７を操作して照明装置２６の遠隔操作を行う端末利用者の募集をホスト装置１に依頼する（Ｓ４）。この依頼により、図１０にも示すように、募集コマンドが伝送路４を通じてホスト装置１へ送信される。
【００６９】
募集コマンドを受信したホスト装置１は、候補者の抽出処理を行う（Ｓ５）。この抽出処理において、ホスト装置１は、ホスト側記憶部１３の顧客情報記憶領域に記憶されたグループ情報や歌唱履歴情報等を参照し、募集を依頼した利用者に適する端末利用者を抽出する。例えば、ホスト装置１は、募集を依頼した利用者（歌唱者）と同じグループに属するグループ利用者として登録された利用者を候補者として抽出する。また、ホスト装置１は、募集を依頼した利用者の歌唱履歴から抽出された過去の同席者を候補者として抽出する。このような端末利用者を候補者として抽出することにより、照明装置２６の遠隔操作を行い得る利用者が、カラオケ拠点の歌唱者と面識等を有する特定の利用者に限定される。その結果、募集を依頼した歌唱者は安心してカラオケ歌唱が行える。また、見ず知らずの他人による悪戯等も抑制できる。
【００７０】
候補者となる端末利用者を抽出したならば、ホスト装置１（募集手段）は、抽出した端末利用者の携帯端末３に対して、照明装置２６の遠隔操作者を募集している旨を通知する。これにより、図１０にも示すように、ホスト装置１は募集通知を送信する（Ｓ６）。この募集通知は、例えば募集をしている利用者のニックネームや歌唱予定のカラオケ楽曲を告知する内容とされる。この募集通知は携帯端末３で受信される（Ｓ７）。そして、募集に対して興味を持った携帯端末３の利用者は、図１０にも示すように、携帯端末３を操作して応募通知を送信する（Ｓ８）。例えば、応募通知として、応募の意思を示す応募コマンドを端末利用者の利用者ＩＤと共に送信する。この応募通知はホスト装置１で受信される（Ｓ９）。
【００７１】
ホスト装置１では、所定の条件が成立するまで、応募通知を受け付ける（Ｓ１０）。ここで、所定の条件とは、例えば一定期間が経過するまで、或いは、応募した端末利用者が規定人数に達するまで（端末利用者の応募数と照明装置の数とが等しくなったら）とする。そして、条件が成立したならば、ホスト装置１は、応募者に担当させる照明装置２６の分担を決定する（Ｓ１１）。
【００７２】
仮に３名の端末利用者が応募したとする。この場合、１人目の応募者に１台目のＬＥＤムービングヘッド２６ａの遠隔操作を担当させ、２人目の応募者に２台目のＬＥＤムービングヘッド２６ｂの遠隔操作を担当させ、３人目の応募者に３台目のＬＥＤムービングヘッド２６ｃの遠隔操作を担当させるように、分担を決定する。
【００７３】
この場合において、各ＬＥＤムービングヘッド２６ａ〜２６ｃに対しては予め、照明効果の高い順に順位を付与しておき、端末利用者を応募順に照明効果の高いＬＥＤムービングヘッド２６ａ〜２６ｃに割り振ることが好ましい。これにより、応募に対するインセンティブを与えることができる。
【００７４】
なお、分担は、この例に限らず任意に決定することができる。例えば、１人目の応募者に１台目のＬＥＤムービングヘッド２６ａに対するパン及びチルトの遠隔操作を担当させ、２人目の応募者に１台目のＬＥＤムービングヘッド２６ａに対する照明色の遠隔操作を担当させ、３人目の応募者に１台目のＬＥＤムービングヘッド２６ａに対するエフェクトの遠隔操作を担当させるようにしてもよい。
【００７５】
分担を決定したならば、ホスト装置１は決定通知を送信する（Ｓ１２）。この決定通知は、募集を依頼した利用者が利用するカラオケ装置２と、募集に応募した端末利用者が所有する携帯端末３のそれぞれで受信される（Ｓ１３，Ｓ１４）。続いてホスト装置１（供給手段）は、対象の携帯端末３に対し、役割に応じたアプリケーション・プログラムを配信（供給）する（Ｓ１５）。そして、携帯端末３はアプリケーション・プログラムを受信し、端末側記憶部４３にインストールする（Ｓ１６）。インストールされたアプリケーション・プログラムが実行されると、図７で説明したユーザーインタフェースが表示ユニット４９に表示され、携帯端末３は、ホスト装置１から配信される混合信号の待ち受け状態に移行する。
【００７６】
その後、カラオケルームＲＭで利用者がカラオケ歌唱を行うと（Ｓ１７）、図１１にも示すように、カラオケ装置２（送信手段）は、カラオケ演奏信号と歌唱音信号とを混合した混合信号をホスト装置１に送信する。ホスト装置１（配信手段）は、送信された混合信号を、募集に応じた端末利用者の携帯端末３に対し、伝送路４を介してストリーム配信する（Ｓ１８）。これにより、端末利用者は、携帯端末３を介してカラオケ歌唱を聴取することができる（Ｓ１９）。そして、端末利用者は、ユーザーインタフェースを介して照明装置２６の制御動作を行う（Ｓ２０）。これにより、個々の携帯端末３から制御情報（個別制御信号）がホスト装置１へ送信される。
【００７７】
ホスト装置１（統合手段）は、各携帯端末３から送信された制御情報を統合し、各端末利用者からの操作が反映された照明制御データ（制御信号）を生成し、カラオケ装置２へ送信する（Ｓ２１）。カラオケ装置２では、受信した照明制御データに基づき、照明制御部３８が照明装置２６の動作を制御する（Ｓ２２）。その結果、各端末利用者による照明装置２６の遠隔操作が実現される。混合信号のストリーム配信と、統合で生成された照明制御データによる照明装置２６の制御は、カラオケ楽曲の演奏が終了するまで行われる（Ｓ２３−Ｓ２５）。そして、カラオケ楽曲の演奏が終了すると、携帯端末３にインストールされたアプリケーション・プログラムが消去される（Ｓ２６）。
【００７８】
このような動作をする通信カラオケシステムでは、携帯端末３を用いてカラオケ歌唱を聴取しつつカラオケ拠点内の照明装置２６を遠隔操作できるので、カラオケルームＲＭで歌唱している利用者と端末利用者との間に一体感が生まれ、カラオケ歌唱の興趣を高めることができる。また、カラオケルームＲＭ（カラオケ拠点）間での募集に比べ、携帯端末利用者には素早い応募を期待できる。
【００７９】
また、募集に応じた端末利用者が所有する携帯端末３に対し、ホスト装置１からアプリケーション・プログラムを供給しているので、カラオケルームＲＭに設置された照明装置や歌唱されるカラオケ楽曲に適合した仕様のアプリケーション・ソフトウェアを携帯端末３に供給できる。さらに、複数の応募者にも容易に対応できる。
【００８０】
また、複数の携帯端末３から送信された制御情報をホスト装置１で統合して照明制御データを生成し、カラオケ装置２に送信しているので、各端末利用者の間で役割が分担されてバラエティーに富んだ照明演出を行うことができる。これにより、カラオケ歌唱の興趣を一層高めることができる。
【００８１】
以上の実施形態の説明は、本発明の理解を容易にするためのものであり、本発明を限定するものではない。本発明はその趣旨を逸脱することなく、変更、改良され得ると共に本発明にはその等価物が含まれる。例えば、次のように構成してもよい。
【００８２】
前述の実施形態では、混合信号を各携帯端末３にストリーム配信していたが、この構成に限定されるものではない。例えば、図１２に示すように、動画をストリーム配信してもよい。この場合、カラオケ装置２は、動画送信手段として機能し、ビデオカメラ２５からの映像信号とカラオケ演奏信号と歌唱音信号とに基づき、歌唱者の歌唱映像を音声付き動画として撮影し、この音声付き動画をホスト装置１に送信する。そして、ホスト装置１（配信手段）は、前述の実施形態における混合信号に代えて音声付き動画をストリーム配信する。この実施形態では、携帯端末３において、カラオケ歌唱のみならず映像も視認できるので、ステージの様子を確認しながら照明の遠隔制御が行える。
【００８３】
また、第１実施形態のカラオケ歌唱の様子を撮影及び録音して歌唱動画データ（歌唱録音データと映像録画データの組）をカラオケ装置２で生成し、図１３に示すように、生成した歌唱動画データをホスト装置１にアップロードすると共に、歌唱動画データの再生動画を各携帯端末３へストリーム配信するように構成してもよい。この実施形態では、カラオケ歌唱の終了後も再生動画の視聴によって楽しむことができる。
【００８４】
また、前述の各実施形態では、３台の携帯端末３で遠隔操作を行う場合を例に挙げたが、遠隔操作を行う携帯端末３の台数は３台に限られない。２台であってもよいし、４台以上であってもよい。さらに、１台であってもよい。そして、１台の携帯端末３で遠隔操作を行う場合には、ホスト装置１（サーバ）を介さずに照明制御データ（制御信号）をカラオケ装置２へ直接送信してもよい。
【００８５】
さらに、前述の各実施形態では、端末利用者の携帯端末３に対し、応募の都度、ホスト装置１からアプリケーション・プログラムを供給していたが、この構成に限定されない。例えば、別のサーバから事前に携帯端末３に供給（インストール）されたアプリケーション・プログラムを、ホスト装置１から送信するコマンドによって動作させてもよい。
【符号の説明】
【００８６】
１…ホスト装置，２…カラオケ装置，３…携帯端末，３Ａ…スマートフォン，３Ｂ…携帯電話，４…伝送路，１１…ホスト側制御部，１１ａ…ＣＰＵ，１１ｂ…メモリ，１２…ホスト側通信部，１３…ホスト側記憶部，２１…カラオケ本体，２２…スピーカー，２３…モニタ，２４…歌唱マイク，２５…ビデオカメラ，２６…照明装置，２６ａ…１台目のＬＥＤムービングヘッド，２６ｂ…２台目のＬＥＤムービングヘッド，２６ｃ…３台目のＬＥＤムービングヘッド，２７…リモコン装置，３１…本体側制御部，３１ａ…ＣＰＵ，３１ｂ…メモリ，３２…本体側通信部，３３…本体側記憶部，３４…音源部，３４ａ…ＣＰＵ，３４ｂ…メモリ，３４ｃ…波形メモリ，３５…音響処理部，３６…表示処理部，３７…映像入力部，３８…照明制御部，３９…操作部，４１…端末側制御部，４１ａ…ＣＰＵ，４１ｂ…メモリ，４２…端末側通信部，４３…端末側記憶部，４４…入力操作部，４５…音声制御部，４６…表示制御部，４７…マイクユニット，４８…スピーカーユニット，４９…表示ユニット，４９ａ…画像表示領域，４９ｂ…パン・チルト指示領域，４９ｃ…照明色設定領域，４９ｄ…エフェクト指示領域，ＫＢ…カラオケ店，ＲＭ…カラオケルーム，ＢＳ１…バス，ＢＳ２…バス，ＲＴ１…ルーター装置，ＲＴ２…ルーター装置，ＢＴＳ…基地局
【図１】
2015069050.tif 000003
【図２】
2015069050.tif 000004
【図３】
2015069050.tif 000005
【図４】
2015069050.tif 000006
【図５】
2015069050.tif 000007
【図６】
2015069050.tif 000008
【図７】
2015069050.tif 000009
【図８】
2015069050.tif 000010
【図９】
2015069050.tif 000011
【図１０】
2015069050.tif 000012
【図１１】
2015069050.tif 000013
【図１２】
2015069050.tif 000014
【図１３】
2015069050.tif 000015